(57)【要約】【課題】  本発明が解決しようとしている課題は、プリンタが携帯時もしくは収納状態である時に電源の切り忘れを防止することで、無駄な電力消費を防止することにある。【解決手段】  本発明では上記従来の技術の難点に鑑み、Liイオンバッテリーに代表される独立電源を備えたプリンタにおいて、プリンタの姿勢差を検知する姿勢差検知機能を有し、プリンタが待機状態にあるときにプリンタがプリント動作に適さない姿勢にあると上記プリンタの姿勢差検知機能の検出結果から判断できた場合にはプリンタは収納状態におかれたと判断して上記プリンタの電源を切る制御をする制御機能を有することで、待機状態にあるプリンタの収納又は携帯の際に電源を切ることを忘れて上記独立電源の無用な電力消費を避ける。【選択図】  図２
2006027103.tif 000002
【特許請求の範囲】
【請求項１】
Ｌｉイオンバッテリーに代表される独立電源を備えた印字装置において、
印字装置の姿勢差を検知する姿勢差検知機能を有し、印字装置が待機状態にあるときに印字装置が印字動作に適さない姿勢にあると上記印字装置の姿勢差検知機能の検出結果から判断できた場合には印字装置は収納状態または携帯状態におかれたと判断して上記印字装置の電源を切る制御をする制御機能を有することを特徴とする印字装置。
【発明の詳細な説明】
【技術分野】
【０００１】
本発明はLiイオンバッテリーに代表される独立電源を備えた主に携帯可能な印字装置の省電力制御に関する。特に印字装置が待機状態にあるときに電源が入ったままに収納する際の電源制御に関する。
【背景技術】
【０００２】
Liバッテリーに代表される独立電源を備えた印字装置は主に携帯用途に用いられている。また小さい機器の場合が多いために収納等に便利であり、ユーザーの作業環境が狭い場合や使用頻度が少ないユーザーに好まれて使われる傾向がある。その際に例えば横において使用するプリンタの場合にも本棚に立てかけたり、クレードルといった専用の収納台に立てたり、引き出しに縦向きに収納したりされてきた。また携帯の際も通常は持ちやすさの利便性から縦向きで手に持ったり、鞄に入れて運ぶ場合も通常は縦向きにして運ぶものであった。
【０００３】
しかしながら従来のプリンタにおいては携帯したり、収納したりする際に、待機状態にあるプリンタは省電力のために小さなLED等の表示があるのみで動作していないためにユーザーには電源が入っていることが分かりにくく、ユーザーがうっかり電源をきり忘れて収納または携帯できてしまい、電源の切れ忘れによる予期しない電力消費によりバッテリーの消費を招き、ユーザーが次に使用とする時や移動後使用する際にバッテリーの残量がなくなっているという事態になる可能性があった。
【０００４】
一方、プリンタの姿勢差によってプリンタの制御を変更するという提案は、特開平８−１８５２９３号公報や特開２００１−２３２８９６号公報等でされてきたが、これらは全てプリント動作中のプリンタの姿勢差状況による制御に関わるものであり、待機状態にあるプリンタの姿勢差状況に関わるものはなかった。
【特許文献１】特開平８−１８５２９３号公報
【特許文献２】特開２００１−２３２８９６号公報
【発明の開示】
【発明が解決しようとする課題】
【０００５】
本発明が解決しようとしている課題は、プリンタが携帯時もしくは収納状態である時に電源の切り忘れを防止することで、無駄な電力消費を防止することにある。
【課題を解決するための手段】
【０００６】
本発明では上記従来の技術の難点に鑑み、Liイオンバッテリーに代表される独立電源を備えたプリンタにおいて、プリンタの姿勢差を検知する姿勢差検知機能を有し、プリンタが待機状態にあるときにプリンタがプリント動作に適さない姿勢にあると上記プリンタの姿勢差検知機能の検出結果から判断できた場合にはプリンタは収納状態におかれたと判断して上記プリンタの電源を切る制御をする制御機能を有することで、待機状態にあるプリンタの収納又は携帯の際に電源を切ることを忘れて上記独立電源の無用な電力消費を避ける。
【発明の効果】
【０００７】
本発明の効果は、Liイオンバッテリーに代表される独立電源を備えたプリンタが待機状態にある際に収納もしくは携帯するさいに生じる可能性があるユーザーの不意のプリンタの電源の切り忘れによる独立電源の不要な電力消費を避けることにある。
【発明を実施するための最良の形態】
【０００８】
図１に本発明のプリンタ構成の実施例を示す。
【０００９】
本実施例のプリンタは電源としてはAC入力をDC電源出力に変換するAC電源（図１，３）、電源(図１，３)からのDC電源入力をコントローラユニット(図１，8)に必要な電圧に変換するDCDCコンバータ（図１，４）、独立電源である二次電池（図１，５）および独立電源を充電するためのチャージャー（図１，６）で構成される。電源ラインの流れは(図１，７)で示され、DCDCコンバータ（図１，４）がAC電源（図１，３）および独立電源（図１，５）を入力として動作し、その制御はメインコントロールからの制御信号ラインで制御できることを想定している。
【００１０】
プリンタ（図１，１）はコントロールユニット（図１，８）によりその動作はコントロールされている。ユーザーはパネルユニット（図１，９）を操作することでプリンタ（図１，１）に電源を投入する。プリント動作の際にはインターフェースから送られてきた印字データをコントロールユニット（図１，８）で処理し、さまざまなセンサ（図１，１２）をモニタしながらモータ(図１，１０)をまわし、プリントヘッド（図１，１４）を動かしてプリント動作を実行する。
【００１１】
待機状態においては、コントロールユニット（図１，８）はインターフェース等の必要最低限の部分を除き、動作を停止させるよう制御している。この状態で姿勢差検知センサ（図１，１１）でプリンタの姿勢差が待機、携帯状態であるという検出結果が出た場合は図２で示した制御例のように判定、制御を行いパワーオフする。
【００１２】
図２に本発明の制御例を示す。
【００１３】
まずプリンタが待機状態にあるかを判断する（図２，１）。これは本発明で想定している待機状態の収納、携帯におけるパワーオフのし忘れの状態を判定する前提条件である。
【００１４】
次に収納、携帯状態の判定カウンタを初期値に設定する(図２，２)。この収納、携帯状態の判定カウンタは姿勢差検出センサで何回、収納、携帯状態であると判断したかを数えるためのカウンタである。このようなカウンタを用意する理由は例えばたまたま一瞬プリンタを傾けてしまったためにプリンタがパワーオフするのを防ぐためである。
【００１５】
次に姿勢差検知センサが収納、携帯状態にあるかを判定する(図２，３)。ここではプリンタが通常プリントをしない方向と角度を判定するもので、機器の正確やスペックで決定される判定値との比較によって判断するものである。例えば通常プリント時に使用するプリンタの設置する方法の設置面に対して縦方向の２方向に回転する方向を検知するものとし、その判定角度をそれぞれの方向についてそれぞれ４５度で判定するものとする。そしてその検知のために二方向の傾斜角を検出可能な傾斜センサを使用するものとする。その場合に、すくなくともどちらか一方向について４５度以上の傾斜角があることが傾斜センサから検出された場合にはプリンタが収納、携帯状態にあるものと判断する。
【００１６】
この判断をした結果、プリンタが収納、携帯状態にないと判断された場合は本制御のスタートに戻るが、プリンタが収納、携帯状態にあると判断された場合はある設定時間ウエイトする（図２，４）。これは姿勢差センサによる判定を時間をおいて複数回行うことで不要なパワーオフを回避することを目的としている。ここでの設定値は主にシステムのスペック等により設定される値である。具体的には１秒間隔をおいてから再判定を行うようにするといったものである。
【００１７】
次に収納、携帯状態の判定カウンタが設定値以上であるかを判断する（図２，５）。これは、収納、携帯状態の判定を複数回行うことでその判定の正確性をきたすためのものである。ここでの設定値は主にシステムのスペック等で設定されることである。具体的には１０回連続してセンサの読み取り結果が収納、携帯状態にあると判定された場合に初めてプリンタが収納もしくは携帯状態にあると判断を確定するといったものである。
【００１８】
この判定で収納、携帯状態の判定カウンタが設定値以上にないと判断された場合は収納、携帯状態の判定カウンタをインクリメントする（図２，８）。これは収納、携帯状態を複数回判定する際に次の判定をするための準備のためのものである。
【００１９】
一方、収納、携帯状態の判定カウンタが設定値以上にあると判断された場合は、この時プリンタが収納、携帯状態にあるとの判定が確定したことになるので、パワーオフへの移行シーケンスを実行する（図２，６）。ここではプリンタの状態変数を不揮発性メモリに保存するといったパワーオフに先立って行われるべき前処理を行う。
【００２０】
そして最後にプリンタをパワーオフする（図２，７）。ここではプリンタのコントロールユニットがDCDCコンバータを制御して、自らへの電源供給を断つので、電源としては負荷がなくなり、独立電源が消費されることがなくなる。
【図面の簡単な説明】
【００２１】
【図１】本発明のプリンタ構成の実施例。
【図２】本発明の制御例。
【符号の説明】
【００２２】
１  プリンタ
２  AC電源プラグ
３  AC電源        
４  DCDCコンバータ
５  独立電源（二次電源）
６  チャージャー
７  電源ライン
８  コントローラユニット
９  パネルユニット
10  モータ
11  姿勢差検知センサ
12  その他のセンサ
13  インターフェース
14  プリントヘッド
15  信号ライン
【図１】
2006027103.tif 000003
【図２】
2006027103.tif 000004